(57)【要約】【課題】小型化した場合でも接点間の絶縁性が得られるスイッチ装置を提供する。【解決手段】スイッチ装置１は、操作軸１３ｈを軸にして回動操作される操作部１１と、操作部１１に一体的に設けられた可動接点１２と、可動接点１２と接離する固定接点１３と、操作部１１の一部、可動接点１２及び固定接点１３を収容する収容部１４ａを有するケース１４とを備えたスイッチ装置において、固定接点１３はコモン接点１３ａと複数の切換接点１３ｂとからなり、可動接点１２が摺接するコモン接点１３ａのコモン接点部１３ｉと可動接点１２が摺接する切換接点１３ｂの切換接点部１３ｌとは操作軸１３ｈを中心とした異なる同心円上に配置され、コモン接点部１３ｉは切換接点部１３ｌよりも操作軸１３ｈから遠い同心円上に配置され、外部と電気的に接続可能なコモン接点１３ａの外部接続部１３ｏは、外部と電気的に接続可能な前記切換接点の外部接続部１３ｐおよび外部接続部１３ｑの間に配置されている、という特徴を有する。【選択図】図２
2013045506.tif 000002
【特許請求の範囲】
【請求項１】
操作軸を軸にして回動操作される操作部と、前記操作部に一体的に設けられた可動接点と、前記可動接点と接離する固定接点と、前記操作部の一部、前記可動接点及び前記固定接点を収容する収容部を有するケースとを備えたスイッチ装置において、
前記固定接点はコモン接点と複数の切換接点とからなり、
前記可動接点が摺接する前記コモン接点のコモン接点部と前記可動接点が摺接する前記切換接点の切換接点部とは前記操作軸を中心とした異なる同心円上に配置され、前記コモン接点部は前記切換接点部よりも前記操作軸から遠い同心円上に配置され、
外部と電気的に接続可能な前記コモン接点の外部出力部は、外部と電気的に接続可能な前記複数の切換接点の外部接続部の間に配置されていることを特徴とするスイッチ装置。
【請求項２】
前記複数の切換接点は第１切換接点部を有した第１切換接点と第２切換接点部を有した第２切換接点とからなり、
前記コモン接点部は第１コモン接点部と第２コモン接点部とを有し、
前記第１切換接点部と前記第１コモン接点部とは並んで配置されるとともに、前記第２切換接点部と前記第２コモン接点部とは並んで配置され、
前記操作部の操作により前記可動接点が第１方向に移動し、前記可動接点が前記第１コモン接点部に当接したときに、前記第１コモン接点部と前記第１切換接点部とが前記可動接点を介して導通し、
前記操作部の操作により前記可動接点が第２方向に移動し、前記可動接点が前記第２コモン接点部に当接したときに、前記第２コモン接点部と前記第２切換接点部とが前記可動接点を介して導通することを特徴とする請求項１に記載のスイッチ装置。
【請求項３】
前記操作部の操作により前記可動接点が第１方向に移動したとき、前記可動接点は前記第１コモン接点部よりも先に前記第１切換接点部に接触し、
前記操作部の操作により前記可動接点が第２方向に移動したとき、前記可動接点は前記第２コモン接点部よりも先に前記第２切換接点部に接触することを特徴とする請求項２に記載のスイッチ装置。
【請求項４】
前記可動接点は、前記コモン接点部および前記切換接点部とそれぞれ複数個所で接触するように複数の摺接部を有することを特徴とする請求項1ないし請求項３に記載のスイッチ装置。
【発明の詳細な説明】
【技術分野】
【０００１】
本発明は、２方向に操作可能で、操作方向によって出力が異なるスイッチ装置に関し、特に、小型化した際に回路間の絶縁をより確実に確保することができるスイッチ装置に関するものである。
【背景技術】
【０００２】
昨今、携帯電話やポータブルゲーム機器など携帯できる電気製品が増えており、なかでも、より小型で携帯しやすい電気製品が増えてきている。
【０００３】
電気製品の小型化に伴って、電気機器に用いられるスイッチ部品についても従来のスイッチ装置よりも小型のスイッチ装置が求められている。
【０００４】
２方向に操作可能で、操作方向によって出力が異なるスイッチ装置としては、下記の特許文献１に記載のスイッチ装置が知られている。
【０００５】
以下、図１１（ａ）および図１１（ｂ）を用いて、特許文献１に記載のスイッチ装置ＳＷについて説明する。図１１は特許文献１に記載のスイッチ装置ＳＷを示す図であり、図１１（ａ）はスイッチ装置ＳＷの上面図であり、図１１（ｂ）は図１１（ａ）の断面ＺＺを示す断面図である。
【０００６】
特許文献１に記載のスイッチ装置ＳＷは、略扇形に形成した基台ＣＡの要の部分に、基台ＣＡに回動自在に操作軸ＯＳを枢支する。操作軸ＯＳに一体となって連結された可動片ＭＢは、操作軸ＯＳの回動操作に連動し、基台ＣＡ上を操作軸ＯＳを中心とする円周方向に移動する。共通固定接点ＦＣを、可動片ＭＢの移動範囲全域に亘り、操作軸ＯＳを中心とする円周方向に並行して基台ＣＡの表面に立設している。２つの開閉固定接点ＬＣ、ＲＣを、共通固定接点ＦＣに並行して互いに連続しないように基台ＣＡの表面の同円周上に立設している。また、略Ｕ字型の共通可動接点ＭＲと開閉可動接点ＭＬとを接続片ＣＣの両端に付設して電気的に接続し、可動片ＭＢに固着している。共通可動接点ＭＲは常に共通固定接点ＦＣを摺接挟持する。開閉可動接点ＭＬが開閉固定接点ＬＣ，ＲＣを摺接挟持することにより、スイッチ装置ＳＷのオン／オフが切り換えられる。
【０００７】
また、スイッチ装置ＳＷにおいて、共通可動接点ＭＲと電気的に接続するとともに外部とも接続可能な外部接続端子ＣＴと、開閉固定接点ＬＣと電気的に接続するとともに外部とも接続可能な外部接続端子ＬＴと、開閉固定接点ＲＣと電気的に接続するとともに外部とも接続可能な外部接続端子ＲＴとの配線は、概略図ＳＳに示すように、外部接続端子ＣＴの両側に外部接続端子ＬＴと外部接続端子ＲＴとが配置されている。このように配線することで、スイッチの切換精度を良くする効果がある。
【０００８】
また、外部接続端子ＣＴとの絶縁性を確保する為、外部接続端子ＬＴと外部接続端子ＲＴとは外部接続端子ＣＴから遠ざかる方向へ屈曲させた引き回しになっている。
【先行技術文献】
【特許文献】
【０００９】
【特許文献１】特開平７−６６６２号公報
【発明の概要】
【発明が解決しようとする課題】
【００１０】
特許文献１に記載のスイッチ装置ＳＷは、使用する上では特に問題のないスイッチ装置である。
【００１１】
しかしながら、スイッチ装置ＳＷは、市場の要求に従って構造を変えずに小型化していった場合に、外部接続端子ＬＴと外部接続端子ＲＴとが外部接続端子ＣＴから遠ざかる方向へ屈曲した引き回しになっているため小型化しにくいという課題がある。
【００１２】
また、仮に、外部接続端子ＬＴと外部接続端子ＲＴとが外部接続端子ＣＴから遠ざかる方向へ屈曲した引き回しをやめて、外部接続端子ＬＴと外部接続端子ＲＴとを外部接続端子ＣＴに近接する引き回しにした場合には、小型化した場合に絶縁性を確保するに十分なクリアランスを確保できず、短絡することが懸念される。
【００１３】
本発明は、上述した課題を解決して、小型化した場合でも接点間の絶縁性が得られるスイッチ装置を提供するものである。
【課題を解決するための手段】
【００１４】
請求項１に記載のスイッチ装置は、操作軸を軸にして回動操作される操作部と、前記操作部に一体的に設けられた可動接点と、前記可動接点と接離する固定接点と、前記操作部の一部、前記可動接点及び前記固定接点を収容する収容部を有するケースとを備えたスイッチ装置において、前記固定接点はコモン接点と複数の切換接点とからなり、前記可動接点が摺接する前記コモン接点のコモン接点部と前記可動接点が摺接する前記切換接点の切換接点部とは前記操作軸を中心とした異なる同心円上に配置され、前記コモン接点部は前記切換接点部よりも前記操作軸から遠い同心円上に配置され、外部と電気的に接続可能な前記コモン接点の外部接続部は、外部と電気的に接続可能な前記複数の切換接点の外部接続部の間に配置されている、という特徴を有する。
【００１５】
請求項２に記載のスイッチ装置は、前記複数の切換接点は第１切換接点部を有した第１切換接点と第２切換接点部を有した第２切換接点とからなり、前記コモン接点部は第１コモン接点部と第２コモン接点部とを有し、前記第１切換接点部と前記第１コモン接点部とは並んで配置されるとともに、前記第２切換接点部と前記第２コモン接点部とは並んで配置され、前記操作部の操作により前記可動接点が第１方向に移動し、前記可動接点が前記第１コモン接点部に当接したときに、前記第１コモン接点部と前記第１切換接点部とが前記可動接点を介して導通し、前記操作部の操作により前記可動接点が第２方向に移動し、前記可動接点が前記第２コモン接点部に当接したときに、前記第２コモン接点部と前記第２切換接点部とが前記可動接点を介して導通する、という特徴を有する。
【００１６】
請求項３に記載のスイッチ装置は、前記操作部の操作により前記可動接点が第１方向に移動したとき、前記可動接点は前記第１コモン接点部よりも先に前記第１切換接点部に接触し、前記操作部の操作により前記可動接点が第２方向に移動したとき、前記可動接点は前記第２コモン接点部よりも先に前記第２切換接点部に接触する、という特徴を有する。
【００１７】
請求項４に記載のスイッチ装置は、前記可動接点は、前記コモン接点部および前記切換接点部とそれぞれ複数個所で接触するように複数の摺接部を有する、という特徴を有する。
【発明の効果】
【００１８】
請求項１の発明によれば、複数の切換接点と切換接点との間にコモン接点を配線する必要がなくなり、スイッチ装置を小型化した場合でもコモン接点と複数の切換接点との間でショートすることのない十分な絶縁距離確保ができる、という効果を奏する。
【００１９】
請求項２の発明によれば、回転中心である操作軸から遠い位置にあるコモン接点側でコモン接点と切換接点との間の電気的な導通の切換を行うことで、コモン接点と切換接点との導通の切換位置の調整が容易になり、接点切換精度が安定する、という効果を奏する。
【００２０】
請求項３の発明によれば、可動接点がコモン接点に接触する前に可動接点と切換接点とを接触させることで、より確実にコモン接点側でコモン接点と切換接点との間の電気的な導通の切換を行うことができ、接点切換精度が良くなる、という効果を奏する。
【００２１】
請求項４の発明によれば、コモン接点部および切換接点部に対して可動接点が複数箇所で接触することで、仮に摺動軌道上に異物が付着していたとしても、異物に乗り上げた箇所以外で確実に接触させることが可能となり、接触信頼性を向上させることができる、という効果を奏する。
【図面の簡単な説明】
【００２２】
【図１】スイッチ装置１を示す斜視図である。
【図２】スイッチ装置１の構成を示す分解斜視図である。
【図３】操作部１１を示す斜視図である。
【図４】可動接点１２を示す図である。
【図５】固定接点１３を示す図である。
【図６】固定接点１３のコモン接点１３ａと切換接点１３ｂとを示す図である。
【図７】ケース１４を示す図である。
【図８】弾性部材１５を示す斜視図である。
【図９】スイッチ装置１の内部を示す図である。
【図１０】可動接点１２と固定接点１３との当接状態を示す図である。
【図１１】特許文献１に記載のスイッチ装置ＳＷを示す図である。
【発明を実施するための形態】
【００２３】
［第１実施形態］
以下に第１実施形態におけるスイッチ装置１について説明する。
【００２４】
まず始めに本実施形態におけるスイッチ装置１の構成について図１ないし図８を用いて説明する。図１はスイッチ装置１を示す斜視図である。図２はスイッチ装置１の構成を示す分解斜視図である。図３は操作部１１を示す斜視図である。図４は可動接点１２を示す図であり、図４（ａ）は可動接点１２を示す斜視図であり、図４（ｂ）は可動接点１２を示す側面図である。図５は固定接点１３を示す図であり、図５（ａ）は固定接点１３を示す斜視図であり、図５（ｂ）は固定接点１３を示す側面図である。図６は固定接点１３のコモン接点１３ａと切換接点１３ｂとを示す図である。図７はケース１４を示す図であり、図７（ａ）は下方向から見たケース１４を示す斜視図であり、図７（ｂ）は上方向から見たケース１４を示す斜視図であり、図７（ｃ）はケース１４の内部を示す図である。図８は弾性部材１５を示す斜視図である。
【００２５】
スイッチ装置１は、図１および図２に示すように、外部から回動操作される操作部１１と、操作部１１に一体的に設けられた可動接点１２と、可動接点１２と接離する固定接点１３と、操作部１１の一部、可動接点１２および固定接点１３を収容する収容部１４ａを有するケース１４と、回動操作された操作部１１を初期位置に復帰させる弾性部材１５と、を備えている。
【００２６】
操作部１１は、図３に示すように、合成樹脂材から形成されており、略円盤形状に形成された基部１１ａと、基部１１ａの側面の一部から直方体状に延出して形成されたレバー部１１ｂと、を有する。
【００２７】
また、基部１１ａの中心部には貫通孔である軸穴１１ｃが設けられ、レバー部１１ｂが設けられた側の逆側には、可動接点１２を保持可能な保持部１１ｄが形成されている。
【００２８】
可動接点１２は、図４（ａ）に示すように、金属板を板金加工して形成されており、操作部１１に保持される基台部１２ａと、固定接点１３とそれぞれ複数個所で接触する第１可動接点部１２ｂと第２可動接点部１２ｃと、を有する。
【００２９】
基台部１２ａは略長方形状に形成され、第１可動接点部１２ｂおよび第２可動接点部１２ｃは基台部１２ａから延出して設けられている。
【００３０】
第１可動接点部１２ｂは、基台部１２ａの長手方向の一端側において、左右の端面から基台部１２ａに対して垂直にかつ同じ方向へ一対で帯状に延出して形成されている。基台部１２ａに対して垂直に延出された第１可動接点部１２ｂの先端側は、途中から基台部１２ａの長手方向の他端方向に延出されるとともに、２本の第１可動接点部１２ｂの先端が近づく方向に曲げ加工され、先端側が近接して形成されている。
【００３１】
第１可動接点部１２ｂの先端側どうしでもっとも近接している箇所には、それぞれが近づく方向に突状に形成された第１摺接部（摺接部）１２ｄがそれぞれ設けられている。
【００３２】
第２可動接点部１２ｃは、基台部１２ａの長手方向の中央において、左右の端面から第１可動接点部１２ｂと同じ方向へ一対で帯状に延出して形成されている。第１可動接点部１２ｂと同じ方向に延出された第２可動接点部１２ｃの先端側は、第１可動接点部１２ｂの先端側よりも基台部１２ａに近い位置から基台部１２ａの長手方向の他端方向に延出されるとともに、２つの第２可動接点部１２ｃの先端が近づく方向に曲げ加工され、先端側の一部が当接している。
【００３３】
第２可動接点部１２ｃの先端側の当接している箇所には、それぞれが近づく方向に突状に形成された第２摺接部（摺接部）１２ｅがそれぞれ設けられている。
【００３４】
また、図４（ｂ）に示すように、可動接点１２を図面４（ａ）の矢印Ｓ方向から見たとき、第１摺接部１２ｄと第２摺接部１２ｅとは基台部１２ａの長手方向に垂直に交わる同一の直線上に配置されている。
【００３５】
固定接点１３は、図５に示すように、金属板からなるコモン接点１３ａと、金属板からなる第１切換接点１３ｃと第２切換接点１３ｄとから形成される切換接点１３ｂとが、合成樹脂材からなるウェハ部１３ｅにインサート成形にて一体に形成されている。
【００３６】
ウェハ部１３ｅは、コモン接点１３ａの一部および切換接点１３ｂの一部を内包するベース部１３ｆと、ベース部１３ｆから上方向へ延出して設けられた支持部１３ｇとからなる。
【００３７】
ベース部１３ｆは略直方体状に形成され、前側の面および後側の面にはケース１４との係止に用いるフック部１３ｓが突出して形成されており、それぞれ左右方向に並んで２つ設けられている。支持部１３ｇはベース部１３ｆの後側面と面一に上方向端面の左右端をつなぐアーチ状に延出して設けられており、その中央には前側へ円柱状に突出した操作軸１３ｈが設けられている。
【００３８】
また、支持部１３ｇの前後方向の厚さ寸法はベース部１３ｆの前後方向の厚さ寸法よりも小さい。
【００３９】
コモン接点１３ａと切換接点１３ｂとは、図６に示すように、ウェハ部１３ｅ内にインサート成形されている。コモン接点１３ａは可動接点１２が摺接する第１コモン接点部１３ｊと第２コモン接点部１３ｋとからなるコモン接点部１３ｉを有し、切換接点１３ｂは第１切換接点１３ｃに設けられた第１切換接点部１３ｍと第２切換接点１３ｄに設けられた第２切換接点部１３ｎからなる切換接点部１３ｌを有している。
【００４０】
コモン接点部１３ｉと切換接点部１３ｌとは操作軸１３ｈを中心とした半径の異なる同心円上に配置され、コモン接点部１３ｉは切換接点部１３ｌよりも外側の同心円上に配置され、第１切換接点部１３ｍと第1コモン接点部１３ｊとは並んで配置されるとともに、第２切換接点部１３ｎと第２コモン接点部１３ｋとは並んで配置されている。
【００４１】
また、外部と電気的に接続可能なコモン接点１３ａの外部接続部１３ｏは、外部と電気的に接続可能な第１切換接点１３ｃの外部接続部１３ｐと第２切換接点１３ｄの外部接続部１３ｑとの間に配置されている。
【００４２】
また、第１コモン接点部１３ｊと第２コモン接点部１３ｋとの間および第１切換接点部１３ｍと第２切換接点部１３ｎとの間は合成樹脂材からなる絶縁体１３ｒが薄板状に形成されている。
【００４３】
絶縁体１３ｒは操作軸１３ｈを中心とした略扇形状に形成されており、第１コモン接点部１３ｊと第２コモン接点部１３ｋとに挟まれた領域の操作軸１３ｈを中心とした中心角度は、第１切換接点部１３ｍと第２切換接点部１３ｎとに挟まれた領域の操作軸１３ｈを中心とした中心角度よりも大きい。
【００４４】
ケース１４は、図７（ａ）、図７（ｂ）および図７(ｃ)に示すように、合成樹脂材からなり中空の直方体状に形成されている。内部には操作部１１の一部、可動接点１２、固定接点１３および弾性部材１５を収容可能な収容部１４ａが形成され、下側の１面は外部接続部１３ｏ、外部接続部１３ｐおよび外部接続部１３ｑを露出可能な第１開口部１４ｂが形成され、第１開口部１４ｂに対向する上側の面には、収容部１４ａに収容された操作部１１のレバー部１１ｂを突出可能な第２開口部１４ｃが形成されている。
【００４５】
前側の面および後側の面には、第１開口部１４ｂ寄りのフック部１３ｓに対応する位置に長方形状に開口したロック部１４ｄが左右方向に並んでそれぞれ２個形成されている。
【００４６】
第２開口部１４ｃは、図７（ｃ）に示すように、収容部１４ａ側から外方側に向かうにしたがって左右方向の開口幅が広がるように形成されており、第２開口部１４ｃの裏面には収容部内側壁に垂直に交わる壁面であるストッパ部１４ｅが形成されている。
【００４７】
右側の側面には、スイッチ装置１の取り付けに用いられ、貫通孔を有した取り付け部１４ｆが後側の面と面一に形成されている。
【００４８】
弾性部材１５は、図８に示すように、金属線材からなるコイルバネであり、コイル状に形成された巻回部１５ａと巻回部１５ａを形成する金属線材の両端から延設して形成される腕部１５ｂとを有し、腕部１５ｂは巻回部１５ａが成す円の相反する接線方向へそれぞれ一直線状に並ぶように延設されている。
【００４９】
次にスイッチ装置１の構造について図９と図１０とを用いて説明する。図９はスイッチ装置１の内部を示す図であり、説明のためにケース１４の前側の面は図示していない。図１０は可動接点１２と固定接点１３との当接状態を示す図であり、説明の都合上、ウェハ部１３ｅは図示していない。
【００５０】
可動接点１２は、図９に示すように、基台部１２ａが保持部１１ｄに当接した状態で保持される。このとき、レバー部１１ｂの幅方向の中点、軸穴１１ｃの中心と第１摺接部１２ｄおよび第２摺接部１２ｅが同一直線上に並んで配置されている。
【００５１】
可動接点１２と一体になった操作部１１は、軸穴１１ｃに操作軸１３ｈを挿通した状態で回動可能に配置され、弾性部材１５は巻回部１５ａの内部に操作軸１３ｈを挿通し腕部１５ｂがレバー部１１ｂ側に来るように操作部１１に重ねて配置される。
【００５２】
このとき、可動接点１２は、図９および図１０に示すように、第１摺接部１２ｄで両側から絶縁体１３ｒを挟みこむように２箇所で接触して配置されるとともに、第２摺接部１２ｅで両側から絶縁体１３ｒを挟みこむように２箇所で接触して配置される。
【００５３】
また、操作部１１の回動に伴い、第１摺接部１２ｄは第１コモン接点部１３ｊおよび第２コモン接点部１３ｋに摺接可能であり、第２摺接部１２ｅは第１切換接点部１３ｍおよび第２切換接点部１３ｎに摺接可能である。
【００５４】
操作部１１、可動接点１２および弾性部材１５が配置された固定接点１３は、第１開口部１４ｂにレバー部１１ｂ側から挿入し、レバー部１１ｂを第１開口部１４ｃから突出させ、外部接続部１３ｏと外部接続部１３ｐと外部接続部１３ｑとを第１開口部１４ｂから露出した状態で、フック部１３ｓとロック部１４ｄとが係合することで収容部１４ａの中に保持される。
【００５５】
また、このとき、弾性部材１５の腕部１５ｂはストッパ部１４ｅに当接した状態で保持されている。
【００５６】
これによりスイッチ装置１が形成される。
【００５７】
次にスイッチ装置１の動作について図９を用いて説明する。
【００５８】
図９に示す矢印Ａ方向にレバー部１１ｂを操作すると、操作部１１は操作軸１３ｈを中心に回動し、操作部１１の回動に伴い、可動接点１２が第１方向（矢印ａ方向）に移動し、可動接点１２が第１コモン接点部１３ｊに当接したときに、第１コモン接点部１３ｊと第１切換接点部１３ｍとが可動接点１２を介して導通する。
【００５９】
同様に矢印Ｂ方向にレバー部１１ｂを操作すると、可動接点１２が第２方向（矢印ｂ方向）に移動し、可動接点１２が第２コモン接点部１３ｋに当接したときに、第２コモン接点部１３ｋと第２切換接点部１３ｎとが可動接点１２を介して導通する。
【００６０】
また、絶縁体１３ｒは操作軸１３ｈを中心として略扇形状に形成されており、第１コモン接点部１３ｊと第２コモン接点部１３ｋとに挟まれた領域の中心角度は、第１切換接点部１３ｍと第２切換接点部１３ｎとに挟まれた領域の中心角度よりも大きく設定している為、操作部１１の操作により可動接点１２が第１方向に移動したとき、可動接点１２は第１コモン接点部１３ｊよりも先に第１切換接点部１３ｍに接触し、操作部１１の操作により可動接点１２が第２方向に移動したとき、可動接点１２は第２コモン接点部１３ｋよりも先に第２切換接点部１３ｎに接触する。
【００６１】
なお、例えば、矢印Ａ方向にレバー部１１ｂを操作した際に、矢印Ａ方向側に配置された弾性部材１５の腕部１５ｂは操作部１１の動きに連動して矢印Ａ方向に回動するが、矢印Ｂ方向側に配置された腕部１５ｂはストッパ部１４ｅに当接し回動できないため、矢印Ａ方向側に配置された腕部１５ｂには矢印Ｂ方向に戻ろうとする弾性力が働く。
【００６２】
そのため、操作を止めてレバー部１１ｂを開放すると、弾性部材１５の弾性力によりレバー部１１ｂは操作前の位置に戻り、それに伴って可動接点１２の第１摺接部１２ｄと第２摺接部１２ｅは絶縁体１３ｒ上に移動し、コモン接点１３ａと切換接点１３ｂとの間の電気的導通は解除される。
【００６３】
以下、本実施形態としたことによる効果について説明する。
【００６４】
本実施形態のスイッチ装置１では、操作軸１３ｈを軸にして回動操作される操作部１１と、操作部１１に一体的に設けられた可動接点１２と、可動接点１２と接離する固定接点１３と、操作部１１の一部、可動接点１２及び固定接点１３を収容する収容部１４ａを有するケース１４とを備えたスイッチ装置１において、固定接点１３はコモン接点１３ａと複数の切換接点１３ｂとからなり、可動接点１２が摺接するコモン接点１３ａのコモン接点部１３ｉと可動接点１２が摺接する切換接点１３ｂの切換接点部１３ｌとは操作軸１３ｈを中心とした異なる同心円上に配置され、コモン接点部１３ｉは切換接点部１３ｌよりも操作軸１３ｈから遠い同心円上に配置され、外部と電気的に接続可能なコモン接点１３ａの外部接続部１３ｏは、外部と電気的に接続可能な複数の切換接点１３ｂの外部接続部１３ｐと外部接続部１３ｑとの間に配置されている、構造とした。
【００６５】
これにより、第１切換接点１３ｃと第２切換接点１３ｄとの間にコモン接点１３ａを配線する必要がなくなり、スイッチ装置を小型化した場合でもコモン接点１３ａと複数の切換接点１３ｂとの間でショートすることのない十分な絶縁距離確保ができる、という効果を奏する。
【００６６】
また、従来、コモン接点１３ａが配線されていた領域分を詰めて第１切換接点１３ｃと第２切換接点１３ｄとを配置することができ、スイッチ装置をさらに小型化することができる、という効果を奏する。
【００６７】
また、本実施形態のスイッチ装置１では、複数の切換接点１３ｂは第１切換接点部１３ｍを有した第１切換接点１３ｃと第２切換接点部１３ｎを有した第２切換接点１３ｄとからなり、コモン接点部１３ｉは第１コモン接点部１３ｊと第２コモン接点部１３ｋとを有し、第１切換接点部１３ｍと第１コモン接点部１３ｊとは並んで配置されるとともに、第２切換接点部１３ｎと第２コモン接点部１３ｋとは並んで配置され、操作部１１の操作により可動接点１２が第１方向に移動し、可動接点１２が第１コモン接点部１３ｊに当接したときに、第１コモン接点部１３ｊと第１切換接点部１３ｍとが可動接点１２を介して導通し、操作部１１の操作により可動接点１２が第２方向に移動し、可動接点１２が第２コモン接点部１３ｋに当接したときに、第２コモン接点部１３ｋと第２切換接点部１３ｎとが可動接点１２を介して導通する、構造とした。
【００６８】
これにより、回転中心である操作軸１３ｈから遠い位置にあるコモン接点１３ａ側でコモン接点１３ａと切換接点１３ｂとの間の電気的な導通の切換を行う。回転中心に近い位置ほど単位回転角度あたりの回転移動距離が短いため、回転中心に近い位置でコモン接点１３ａと切換接点１３ｂとの導通の切換を行うと、構成部品の寸法精度や構成部品の組込精度などによるバラツキを短い距離の中で管理しなければならない。したがって、操作軸１３ｈから遠い位置にあるコモン接点１３ａ側でコモン接点１３ａと切換接点１３ｂとの導通の切換を行うと切換位置の調整が容易になり、接点切換精度が安定する、という効果を奏する。
【００６９】
本実施形態のスイッチ装置１では、操作部１１の操作により可動接点１２が第１方向に移動したとき、可動接点１２は第１コモン接点部１３ｊよりも先に第１切換接点部１３ｍに接触し、操作部１１の操作により可動接点１２が第２方向に移動したとき、可動接点１２は第２コモン接点部１３ｋよりも先に第２切換接点部１３ｎに接触する、構造とした。
【００７０】
これにより、可動接点１２がコモン接点１３ａに接触する前に可動接点１２と切換接点１３ｂとを接触させることで、より確実にコモン接点１３ａ側でコモン接点１３ａと切換接点１３ｂとの間の電気的な導通の切換を行うことができ、接点切換精度が良くなる、という効果を奏する。
【００７１】
また、本実施形態のスイッチ装置１では、可動接点１２は、コモン接点部１３ｉおよび切換接点部１３ｌとそれぞれ複数個所で接触するように複数の第１摺接部１２ｄおよび第２摺接部１２ｅを有する、構造とした。
【００７２】
これにより、コモン接点部１３ｉおよび切換接点部１３ｌに対して可動接点１２が複数箇所で接触することで、仮に摺動軌道上に異物が付着していたとしても、異物に乗り上げた箇所以外で確実に接触させることが可能となり、接触信頼性を向上させることができる、という効果を奏する。
【００７３】
以上のように、本発明の実施形態に係るスイッチ装置１を具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００７４】
（１）本実施形態において、第１摺接部１２ｄおよび第２摺接部１２ｅはコモン接点部１３ｉおよび切換接点部１３ｌを両面から挟みながら摺接させ複数箇所で接触する構造としたが、耐久性や弾性などに問題のない範囲で第１可動接点部１２ｂおよび第２可動接点部１２ｃの先端を分割してさらに接触箇所を増やしても良い。接触箇所を増やすことでより安定した接触安定性を確保することができる。
【００７５】
（２）本実施形態において、弾性部材１５をコイルバネとしたが、コイルバネに限定するものではなく、板バネなどでも良い。
【符号の説明】
【００７６】
１      スイッチ装置
１１    操作部
１１ａ  基部
１１ｂ  レバー部
１１ｃ  軸穴
１１ｄ  保持部
１２    可動接点
１２ａ  基台部
１２ｂ  第１可動接点部
１２ｃ  第２可動接点部
１２ｄ  第１摺接部（摺接部）
１２ｅ  第２摺接部（摺接部）
１３    固定接点
１３ａ  コモン接点
１３ｂ  切換接点
１３ｃ  第１切換接点
１３ｄ  第２切換接点
１３ｅ  ウェハ部
１３ｆ  ベース部
１３ｇ  支持部
１３ｈ  操作軸
１３ｉ  コモン接点部
１３ｊ  第１コモン接点部
１３ｋ  第２コモン接点部
１３ｌ  切換接点部
１３ｍ  第１切換接点部
１３ｎ  第２切換接点部
１３ｏ  外部接続部
１３ｐ  外部接続部
１３ｑ  外部接続部
１３ｒ  絶縁体
１３ｓ  フック部
１４    ケース
１４ａ  収容部
１５    弾性部材
１５ａ  巻回部
１６ｂ  腕部
【図１】
2013045506.tif 000003
【図２】
2013045506.tif 000004
【図３】
2013045506.tif 000005
【図４】
2013045506.tif 000006
【図５】
2013045506.tif 000007
【図６】
2013045506.tif 000008
【図７】
2013045506.tif 000009
【図８】
2013045506.tif 000010
【図９】
2013045506.tif 000011
【図１０】
2013045506.tif 000012
【図１１】
2013045506.tif 000013